(57)【特許請求の範囲】
【請求項１】
本体部の側面部に開閉可能に設けた映像表示装置と、前記映像表示装置と本体部の間にカード型記録媒体に撮影画像を記録、再生するカード型記録装置を備えたビデオカメラにおいて、前記カード型記録媒体が装着される装着部を覆う開閉可能な蓋部に前記映像表示装置の開閉を規制するロック部を設けたことを特徴とするビデオカメラ。
【請求項２】
前記カード型記録媒体が装着される装着部を覆う開閉可能な蓋部に設けられた、前記映像表示装置の開閉を規制するロック部が前記装着部を覆う開閉可能な蓋部を開くための指がかりとなることを特徴とする請求項１記載のビデオカメラ。
【請求項３】
記録媒体が装着される装着部を覆う蓋部を備え、前記蓋部の側面部に映像表示装置を設けたビデオカメラにおいて、前記蓋部と前記映像表示装置が一つの回転軸によって、回転可能に支持されることを特徴とするビデオカメラ。
【発明の詳細な説明】
【０００１】
【発明の属する技術分野】
本発明はビデオカメラに関し、特に、開閉可能に設けられた映像表示装置とともに、カード型記録媒体に撮影画像等を記録、再生するカード型記録装置を備えたビデオカメラに関するものである。
【０００２】
【従来の技術】
近年、ビデオカメラの小型化は目覚ましく、ビデオカメラ本体の大きさは減少する傾向にある。またパーソナルコンピューターの普及も目覚しく、ビデオカメラの映像をパーソナルコンピューターに取り込むための機能の要求も増大している。そこで、ビデオテープのみに映像を記録するのではなく、カード型記録媒体が着脱可能なカード型記録装置を備え、このカード型記録媒体を介してパーソナルコンピューターに映像を取り込めるビデオカメラが商品化されている。
【０００３】
また映像表示装置が撮影時のファインダー及び再生時のモニターとして備えられている。この映像表示装置は使用時の使い安さ、収納性から回転可能なことが望ましい。
【０００４】
ここで、従来のビデオカメラの一例として、開閉可能に設けられた映像表示装置とカード型記録媒体が着脱可能なカード型記録装置を備えたビデオカメラについて図８を用いて説明する。
【０００５】
図８は従来例を示すビデオカメラの後方斜視図である。
【０００６】
１は撮像レンズ、２は録音マイクで、撮像レンズ１の下部にビデオカメラ装置本体３がレイアウトされている。４は本体に電源を供給するためのバッテリーパックである。
【０００７】
５は液晶表示装置で、一側辺部が本体に、図示しないヒンジ機構によって本体部に対して水平方向に回転可能に連結されている。これにより、未使用時においては本体部に折り畳んで収納でき、また、使用時においては、液晶表示装置を本体部の側方に開き、モニターすることができる。
【０００８】
６はカード型記録媒体が装着される装着部を覆う蓋部であり、液晶表示装置５とビデオカメラ装置本体３の間に設けられている。また蓋部６には軸部６ａが形成されている。そして図示していないヒンジ機構によって本体部に対して水平方向に回転可能に連結されている。またカード型記録媒体が装着される装着部を覆う蓋部６は凹状指掛け部６ｂが形成されており、カード型記録媒体を交換する場合は蓋部６に設けられた凹状指掛け部６ｂに指を掛けて、軸部６ａを回転中心として本体部の側方に開き、カード型記録装置にカード記録媒体を出し入れする。
【０００９】
また液晶表示装置５はヒンジ機構によって本体部に連結されていない他辺部にロックツマミ７が回転可能に備えられている。そしてロックツマミ７は図示していないバネによって常時ばね付勢力を受けて押圧されている。さらにビデオカメラ本体にはロックツマミ７に係合する凸部８が設けられている。これによって、液晶表示装置５が未使用時に不用意に開いてしまうのを防止することができる。
【００１０】
【発明が解決しようとする課題】
しかしながら、上記従来例のレイアウトではロックツマミ７に係合する凸部８は蓋部６を避けた位置に設けなくてはならない。すなわちロックツマミ７は、映像表示装置５の辺部の端部に設けなくてはならない。このために、映像表示装置５を未使用時に本体部に折り畳んで収納しようとした場合、液晶表示装置５の端部を押圧しないとロックツマミ７とビデオカメラ本体に設けられた凸部８は係合しないため、まことに操作性の悪いものになってしまう。またロックツマミ７が液晶表示装置５の端部に設けられるため、まことに見栄えの悪いものとなってしまう。
【００１１】
更にカード型記録媒体を交換する場合、蓋部６に設けられた凹状指掛け部６ｂができる限り深い方が、指が掛り易く操作性が良い。しかしながら凹状指掛け部６ｂを深くするためにはビデオカメラ本体が厚くなってしまい、ビデオカメラ本体の小型化に相反してしまう。
【００１２】
本発明はこのような従来の欠点を解消するためになされたもので、ビデオカメラ装置が操作性に優れ、見栄えも良い、小型なビデオカメラを提供することを目的とする。
【００１３】
【課題を解決するための手段】
上記の目的を達成するために、本願における請求項１に記載の発明によれば、本体部の側面部に開閉可能に設けた映像表示装置と、前記映像表示装置と本体部の間にカード型記録媒体に撮影画像を記録、再生するカード型記録装置を備えたビデオカメラにおいて、前記カード型記録媒体が装着される装着部を覆う開閉可能な蓋部に前記映像表示装置の開閉を規制するロック部を設けたビデオカメラを特徴とする。
【００１４】
また本願における請求項２に記載の発明によれば、請求項１の発明において、前記カード型記録媒体が装着される装着部を覆う開閉可能な蓋部に設けられた、前記映像表示装置の開閉を規制するロック部が前記装着部を覆う開閉可能な蓋部を開くための指がかりとなるように構成したビデオカメラを特徴とする。
【００１５】
また本願における請求項３に記載の発明によれば、記録媒体が装着される装着部を覆う蓋部を備え、前記蓋部の側面部に映像表示装置を設けたビデオカメラにおいて、前記蓋部と前記映像表示装置が一つの回転軸によって、回転可能に支持されるように構成したビデオカメラを特徴とする。
【００１８】
【発明の実施の形態】
以下、本発明のビデオカメラを、各図を参照しながら、その実施形態について、説明する。
【００１９】
（実施例１）
図１乃至図３は、本発明におけるビデオカメラの第１の実施例を示すもので、図１は本発明によるビデオカメラの収納状態を示す後方斜視図、図２は本発明によるビデオカメラの映像表示装置を開いた状態を示す後方斜視図である。図３は本発明によるビデオカメラの映像表示装置及び、カード型記録媒体が装着される装着部を覆う蓋部を開いた状態を示す後方斜視図である。
【００２０】
図中、撮像レンズ１、録音マイク２、バッテリーパック４の各構成要素は図８において説明したものと同一である。
【００２１】
１０は液晶表示装置で一側辺部が本体に、図示しないヒンジ機構によって本体部に対して水平方向に回転可能に連結されている。これにより、未使用時においては本体部に液晶表示装置の表示面が向くように折り畳んで本体凹部に収納でき、また、使用時においては、液晶表示装置を本体部の側方に開き、映像をモニターすることができる。
【００２２】
液晶表示装置１０の内側には、カード型記録媒体が装着される装着部を覆う蓋部１１が設けられている。そして、図示していないヒンジ機構によって本体部に対して水平方向に回転可能に蓋部８は連結されており、カード型記録媒体を交換する場合は、蓋部１１を本体部の側方に開き、カード型記録装置にカード型記録媒体を出し入れする。
【００２３】
また、液晶表示装置１０のヒンジ機構によって本体部に連結されていないもう一方の側辺部の中央にロックツマミ１２が回転可能に備えられている。そしてロックツマミ１２は図示していないバネによって常時ばね付勢力を受けて押圧されている。さらに蓋部１１にはロックツマミ１２に係合する凸部１３が設けられている。これによって、液晶表示装置１０が未使用時においては本体部に液晶表示装置１０の表示面が向くように折り畳んで本体凹部に収納した状態でロックツマミ１２と凸部１３が係合して不用意に開いてしまうのを防止することができる。そして使用時においては、ロックツマミ１２を押圧し回転させて、凸部１３との係合関係を解除し液晶表示装置を本体部の側方に開き、映像をモニターすることができる。
【００２４】
したがって液晶表示装置１０の本体部に連結されていないもう一方の側辺部の中央にロックツマミ１２を配置できることによって、液晶表示装置１０の中央部を操作することによって液晶表示装置１０を開閉することが可能となり操作性に優れる。またデザイン上の見栄えも向上する。
【００２５】
また、カード型記録媒体が装着される装着部を覆う蓋部１１に設けられたロックツマミ１２に係合する凸部１３は十分な凹量を有しており、カード型記録装置にカード型記録媒体を出し入れする時、蓋部１１を開くための指がかりとなる。
【００２６】
（実施例２）
次に、液晶表示装置のビデオカメラ本体に対する取付構造について説明する。上述のように、液晶表示装置は、ビデオカメラ本体に対して回動自在に支持されるが、本発明によれば、その支持構造において、きわめて有効な方法がとられている。以下、順を追って説明する。
【００２７】
まず本発明の構造を明確にするために、従来のビデオカメラについて図９を用いて説明する。従来のビデオカメラの一例を示す後方斜視図である。
【００２８】
同図において、２１は撮像レンズ、２２はレコーダー機構で、撮像レンズ２１の下部にレコーダー機構２２がレイアウトされている。２３は本体に電源を供給するためのバッテリーパックである。２４は液晶表示装置で、一側辺部が本体に、図示していないヒンジ機構によって本体部に対して水平方向に回転可能に連結されている。
【００２９】
これにより、未使用時においては本体部に折り畳んで収納でき、また、使用時においては、液晶表示装置を本体部の側方に開き、モニターすることができる。２５は記録媒体が装着される装着部を覆う蓋部であり、レバー部２５ａが形成されている。
【００３０】
そして図示していないヒンジ機構によって本体部に対して水平方向に回転可能に連結されている。よって、記録媒体を交換する場合は蓋部２５を本体部の側方に開き、レコーダー機構２２に記録媒体を出し入れするようになっている。
【００３１】
しかしながら、上記のレイアウトでは、映像表示装置を回転させるためのヒンジ機構と、記録媒体が装着される装着部を覆う蓋部を回転させるためのヒンジ機構をそれぞれ別々に具備する必要があるために、ヒンジ機構を収納するためのスペースをそれぞれ別々に確保しなければならず、これは、ビデオカメラ本体の小型化に相反してしまう。
【００３２】
また、ヒンジ機構を構成する部品もそれぞれ別々に備えるため、装置が複雑になり、ビデオカメラ本体が高価なものになってしまう。
【００３３】
以下の実施例は、このような欠点を解消するためになされたもので、記録媒体が装着される装着部を覆う蓋部を備え、前記蓋部の側面部に映像表示装置を設けたビデオカメラにおいて、前記蓋部と前記映像表示装置が一つの回転軸によって回転可能に支持される構造とすることにより、安価で、小型化が可能なビデオカメラを提供するものである。
【００３４】
また記録媒体が装着される装着部を覆う蓋部の側面部に映像表示装置を設けたビデオカメラにおいて、前記映像表示装置の電気回路基板は、液晶パネル及びバックライト装置と重なることなく、平面上にレイアウトされたビデオカメラを提供するものである。
【００３５】
また前記映像表示装置の電気回路基板が、バックライト装置の光源部の近傍側に電源回路基板、他方側に信号処理回路基板がレイアウトされたビデオカメラを提供するものである。
【００３６】
図４は本発明によるビデオカメラの収納状態を示す後方斜視図、図５は本発明によるビデオカメラの映像表示装置及び、記録媒体が装着される装着部を覆う蓋部を開いた状態を示す後方斜視図である。
【００３７】
図中、撮像レンズ２１、レコーダー機構２２、バッテリーパック２３の各構成要素は図９において説明したものと同一である。
【００３８】
２６は液晶表示装置で一側辺部が本体に、ヒンジ機構２７によって本体部に対して水平方向に回転可能に連結されている。これにより、未使用時においては本体部に液晶表示装置の表示面２６ａが向くように折り畳んで本体凹部に収納でき、また、使用時においては、液晶表示装置を本体部の側方に開き、映像をモニターすることができる。
【００３９】
液晶表示装置２６の内側には、記録媒体（テープカセット）が装着される装着部を覆う蓋部２８が設けられ、さらに蓋部２８の内側には、レコーダー機構２２が設けられている。そして、ヒンジ機構２７によって本体部に対して水平方向に回転可能に蓋部２８は連結されており、記録媒体を交換する場合は、蓋部２８を本体部の側方に開き、レコーダー機構２２に記録媒体を出し入れする。また、蓋部２８の背面には、不図示の実装線で本体内部の電気信号処理回路に接続された、操作スイッチ２９が備えられており、ビデオカメラ本体の電源の入り切りや、各種モードの切り替えが可能になっている。
【００４０】
すなわち、液晶表示装置２６と記録媒体が装着される装着部を覆う蓋部２８は、同一のヒンジ機構２７によって回転可能に設けられている。
【００４１】
以下、図６の分解斜視図において本発明によるヒンジ機構２７の具体的構成の一例を説明する。
【００４２】
図中、３０は回転部材Ａで略コの字形状に形成されている。３１はカシメピンＡ、３４はカシメピンＢ，３２はバネワッシャ、３３はスリーブワッシャである。カシメピンＡ３１、カシメピンＢ３４は、それぞれ円筒状であり、先端部には断面Ｄ形状となるようにＤカットが施されている。
【００４３】
そして、カシメピンＡ３１はバネワッシャ３２を貫通して回転部材Ａ３０に設けられたカシメピンＡ３１の先端の断面Ｄ形状に対応した穴部３０aに係合しながら貫通している。なお、カシメピンＡ３１に形成されたフランジ部３１ａはバネワッシャ３２の径より十分に大きな径となっている。さらに、カシメピンＡ３１はスリーブワッシャ３３及び、回転部材Ｂ３５に設けられた穴部３５ａ及び、保持部材３６に設けられた穴部３６ａを貫通し、ストッパーＡ３７に設けられたカシメピンＡ３１の先端の断面Ｄ形状に係合した穴部３７aに、バネワッシャ３２を押圧するようにかしめられている。ここで、回転部材Ｂ３５は略コの字形状をした回転部材Ａを挟み込むような一対のアーム形状を有している。そして、保持部材３６は不図示のビスによってビデオカメラ本体に連結されている。
【００４４】
また、カシメピンＢ３４の端部は回転部材Ａ３０に設けられたカシメピンＢ３４の先端の断面Ｄ形状に対応した穴部３０ｂに係合し、もう一方の端部は、回転部材Ｂ３５に設けられた穴部３５ｂ及び、保持部材３６に設けられた穴部３６ｂを貫通し、ストッパーＢ３８に設けられたカシメピンＡ３１の先端の断面Ｄ形状に係合した穴部３８aにかしめられている。この時、カシメピンＡ３１とカシメピンＢ３４は同軸上となる位置関係である。
【００４５】
これにより、回転部材Ａ３０及び、回転部材Ｂ３５はカシメピンＡ３１及び、カシメピンＢ３４を回転軸としてバネワッシャ３２によるフリクションを受けながら回転自在にそれぞれが支持されている。
【００４６】
更に、記録媒体が装着される装着部を覆う蓋部２８は、一側辺部に穴２８ａが設けられており、回転部材Ｂ３５に設けられた穴３５ｃに不図示のビスによって連結される。よって、記録媒体が装着される装着部を覆う蓋部２８はカシメピンＡ３１及び、カシメピンＢ３４を回転軸としてバネワッシャ３２によるフリクションを受けながら回転可能となる。
【００４７】
また、液晶表示装置カバーＡ３９は液晶パネル２０の表示画面に対応した角穴を有し、液晶パネル２０及び、バックライト装置２１及び、電源回路基板２２及び、信号回路基板２３を挟み込みながら液晶表示装置カバーＢ２４と不図示のビスによって連結されている。ここで図７に液晶表示装置２６の断面図を示す。電源回路基板４２及び、信号回路基板４３はバックライト装置４１に重なることなく、平面上に配置され更に、バックライト装置４１の蛍光管４５の近傍側に電源回路基板４２が配置され不図示の実装線で蛍光管４５と接続されている。そして、もう一方側に信号回路基板４３が配置されている。よって、液晶表示装置２６は効率よく、薄型化することが可能となる。
【００４８】
そして、液晶表示装置２６は回転部材Ｃ４６に不図示のビスによって保持されている。回転部材Ｃ４６には回転部材Ａ３０の中心部に不図示の機構により回転自在に系止された軸４７が、しめられている。
【００４９】
よって、液晶表示装置２６は軸４７を回転中心として回転自在となり、液晶表示装置２６の表示面を上方及び、下方の向けることが可能となり、さまざまな撮影ポジションに対応できる。そして、液晶表示装置２６はカシメピンＡ３１及び、カシメピンＢ３４を回転軸としてバネワッシャ３２によるフリクションを受けながら回転自在となり、未使用時においては本体部に液晶表示装置２６の表示面が向くように折り畳んで本体凹部に収納でき、また、使用時においては、液晶表示装置２６を本体部の側方に開き、映像をモニターすることができる。
【００５０】
そして、液晶表示装置２６を本体部の側方に開いた状態で、記録媒体を交換する場合は、蓋部２８を本体部の側方に開き、レコーダー機構２２に記録媒体を出し入れすることが可能となる。また、液晶表示装置２６を折り畳んで本体凹部に収納した状態で、記録媒体を交換する場合は、蓋部２８を本体部の側方に開くと、液晶表示装置２６もいっしょに開き、レコーダー機構２２に記録媒体を出し入れすることが可能となる。
【００５１】
このように、記録媒体が装着される装着部を覆う蓋部の側面部に映像表示装置を設けたビデオカメラにおいて、前記蓋部と前記映像表示装置が一つの回転軸によって回転可能に支持される構成にしたので、一個のヒンジ機構ですみ、小型化が可能で、また部品点数も削減することにより、安価なビデオカメラを提供することができる。
【００５２】
【発明の効果】
以上説明したように、本発明によれば、本体側面に開閉可能に設けた映像表示装置を備えるとともに、前記映像表示装置と本体部の間にカード型記録媒体の装着部を設けたビデオカメラにおいて、前記カード型記録媒体の装着部を開閉可能な蓋部に前記映像表示装置の開閉を規制するロック部を設けたので、該ロック部を前記映像表示装置の中央部に配置することが可能となり、その中央部を操作することによって前記液晶表示装置を開閉することができるため操作性に優れ、またデザイン上の見栄えの良いビデオカメラを提供することができる。
【００５３】
また記録媒体が装着される装着部を覆う蓋部の側面部に映像表示装置を設けたビデオカメラにおいて、前記蓋部と前記映像表示装置が一つの回転軸によって回転可能に支持される構成にしたので、一個のヒンジ機構ですみ、小型化が可能で、また部品点数も削減することにより、安価なビデオカメラを提供することができる。
【図面の簡単な説明】
【図１】本発明によるビデオカメラの第1の実施例を示す後方斜視図。
【図２】本発明によるビデオカメラの一例を示す後方斜視図。
【図３】本発明によるビデオカメラの一例を示す後方斜視図。
【図４】本発明によるビデオカメラの第2の実施例を示す後方斜視図。
【図５】本発明によるビデオカメラの一例を示す後方斜視図。
【図６】本発明によるビデオカメラの一例を示す分解斜視図。
【図７】本発明によるビデオカメラの一例を示す部分断面図。
【図８】従来例のビデオカメラの後方斜視図。
【図９】従来のビデオカメラの後方斜視図。
【符号の説明】
１  撮像レンズ
３  ビデオカメラ装置本体
５  液晶表示装置
６  蓋部
６ｂ  凹状指掛け部
７  ロックツマミ
１０  液晶表示装置
１１  蓋部
１２  ロックツマミ
２２  レコーダー機構
２６  液晶表示装置
２７  ヒンジ機構
２８  蓋部
２９  操作スイッチ
３０  回転部材Ａ
３５  回転部材Ｂ
３６  保持部材
３９  液晶表示装置カバーＡ
４０  液晶パネル
４１  バックライト装置
４２  電源回路基板
４３  信号回路基板
４４  液晶表示装置カバーＢ
４５  蛍光管
【図１】
0004027127.tif 000002
【図２】
0004027127.tif 000003
【図３】
0004027127.tif 000004
【図４】
0004027127.tif 000005
【図５】
0004027127.tif 000006
【図６】
0004027127.tif 000007
【図７】
0004027127.tif 000008
【図８】
0004027127.tif 000009
【図９】
0004027127.tif 000010